(57)【要約】【課題】  正常にファンロック検出できる画像読取装置を提供する。【解決手段】  ランプ５の発熱による機内の温度上昇を押さえるためのファン４を備えた画像読取装置において、ファン停止状態を示すロック信号を検出する信号検出手段２２と、ランプ点灯終了時刻よりもロック信号検出動作終了時刻を遅く設定する制御手段２１を備えた。【選択図】        図２
2006191501.tif 000002
【特許請求の範囲】
【請求項１】
ランプの発熱による機内の温度上昇を押さえるためのファンを備えた画像読取装置において、ファン停止状態を示すロック信号を検出する信号検出手段と、ランプ点灯終了時刻よりもロック信号検出動作終了時刻を遅く設定する制御手段を備えたことを特徴とする画像読取装置。
【請求項２】
請求項１記載の画像読取装置において、前記信号検出手段によるロック信号検出動作終了時点で、前記制御手段は、前記ファンを駆動し続けるよう制御することを特徴とする画像読取装置。
【発明の詳細な説明】
【技術分野】
【０００１】
本発明は、原稿画像を読み取り、読み取った画像データに画像処理を施す機能を備えた画像読取装置に関する。
【背景技術】
【０００２】
複写機、プリンタ、ファクシミリ装置等の電子写真プロセスを利用した画像形成装置に搭載される画像読取装置にあっては、固定した原稿台上に載置した原稿面を、原稿台の直下に位置するスキャナが移動しながら走査することにより読み取るための構成を備えている。
このような画像読取装置では、光源としてハロゲンランプか蛍光ランプが一般に用いられている。ハロゲンランプは発熱量が多く、連続動作時に原稿読取装置内の温度を著しく上昇させる欠点があり、上昇温度が亢進すると、スキャナを駆動するためのモータ等、上昇した温度に曝されるモータがトルク低下を惹起したり、あるいは操作者が原稿を原稿台上等にセットする際に過熱した原稿台等によって火傷を負う等の事態が発生する。
一方、蛍光ランプは、発熱量が少ないため、連続動作したとしてもハロゲンランプの場合のような不具合が発生しない代わりに、ランプの温度上昇による発光光量の低下率が大きく、連続動作に際しては露光光量の不足を招く。
このような事情から、ハロゲンランプ、蛍光ランプのいずれを用いた原稿読取装置にあっても、装置内の冷却が必須である。特に、最近の装置の小型化、及び画像形成速度の高速化が急速に進行するにつれて、温度上昇抑制対策の必要性が高まっている。
しかし、実際には使用する発熱部品の性能等との関係から、熱の発生を押えるには限界がある。このため、現状では発生した熱を機外、あるいは機内に発散、分散させるための冷却機構の能力向上、効率向上のための対策が求められている。
通常、外気を取り込んだり、内部の雰囲気を排気するためのファンが複数個使われる。ファンによる機内冷却方式においては、効率良く放熱を行うためのファンの配置や、回転数の制御などの様々な工夫が提案されているが、ファンが目詰まりを起こしたり、何らかのトラブルで動かなくなってしまった場合を想定して、ロック信号を出力するファンを使用する場合もある。
このロック信号出力機能付きのファンは、例えば図４に示すように、ファン停止中にロック信号が“Ｈ”を出力するような動作をする。よって、例えば、異物などが詰まって本来ファンが動いている状況で強制的に停止してしまっても、ロック信号を検出する機能を用意しておくことによって、放熱が十分に行われない異常な状況で装置を動作させつづける状況をなくすことができる。
ファンの異常な状態を検出する手段に関しては、ファンの排気口の閉塞検出手段が、例えば特許文献１記載の画像形成装置で提案されている。
【特許文献１】特開平６−３９１８号公報
【発明の開示】
【発明が解決しようとする課題】
【０００３】
上記従来技術の画像形成装置では、特にファンがロックしたことを示す信号の検出タイミングを定めていないが、画像読取装置では、ファン制御に様々な工夫が提案されており、装置の状態によってファンを動作させたり、停止させたりして制御することも多い。特に読み取り動作中のみファンを動作させ、待機中には停止させる場合、読取高速化により正常にロック信号が検出できないといった特有の問題が発生することが予想される。
即ち、これを順に説明していくと、実際には、ロック信号を検出するための回路やアルゴリズムにロック信号に対する遅延時間が発生するため、場合によっては正常にロック信号を検出しない場合がある。
図５を参照しながら具体例をあげる。例えば、温度が特に上昇するのはランプ点灯中であるから、ランプ点灯期間中（＝スキャン動作中）のみファンを動作させているとする。ロック信号の検出は本来、ランプを含む走行体が動いているべきところでロックしていないかどうかをみるのが目的なので、基本的にはファンが動作し始めた後に検出動作を開始する。
ところが、読み取り動作が終了と同時にファンが停止するので、ロック検出のタイミングが発生する前にファンが停止することになり、その後にロック信号が再び“Ｈ”になり、その後にロック検出タイミングが発生して、ファンが停止したことによるロック信号をランプ点灯中にロックされていると誤検出されてしまう可能性がある。特に、前述のように高速化が進む画像読取装置においては十分に起こりえることであり、正常にロック検出される構成になっていることが望まれる。
よって、本発明では正常にファンロックを検出できる画像読取装置を提供することを目的とする。
【課題を解決するための手段】
【０００４】
上記目的を達成するために、請求項１記載の発明は、ランプの発熱による機内の温度上昇を押さえるためのファンを備えた画像読取装置において、ファン停止状態を示すロック信号を検出する信号検出手段と、ランプ点灯終了時刻よりもロック信号検出動作終了時刻を遅く設定する制御手段を備えた画像読取装置を最も主要な特徴とする。
請求項２記載の発明は、請求項１記載の画像読取装置において、信号検出手段によるロック信号検出動作終了時点で、制御手段は、ファンを駆動し続けるよう制御する画像読取装置を主要な特徴とする。
【発明の効果】
【０００５】
本発明は、ランプの発熱による機内の温度上昇を押さえるためのファンを備えた画像読取装置において、ファン停止状態を示すロック信号を検出する信号検出手段と、ランプ点灯終了時刻よりもロック信号検出動作終了時刻を遅く設定し、信号検出手段によるロック信号検出動作終了時点で、ファンを駆動し続けるよう制御する制御手段を備えたので、ファンロックの異常検出を防ぐことができる。
【発明を実施するための最良の形態】
【０００６】
以下、本発明の実施の形態を図面に従って説明する。
図１は本発明の実施形態に係る画像形成装置の全体構成図である。画像読取装置１は、上部にコンタクトガラス２と白基準板３が配置される。コンタクトガラス２は読取原稿をセットするためのものである。原稿は上から図示を省略した原稿抑板によりコンタクトガラス１から浮かないように抑えられる。勿論、公知の様にＡＤＦ（オートドキュメントフィーダ）が付いていてもよい。また、白基準板３はシェーディング補正時の補正データを得るため、主走査方向に設けられた均一濃度のほぼ白色の部材である。
装置本体側面には、それぞれ吸気もしくは排気を行うファン４（４−１、４−２）が取り付けられている。ランプ５は白基準板３あるいはコンタクトガラス２面に対してある角度で光を照射する。白基準板３あるいは原稿で反射した光は３枚のミラー６（６−１、６−２、６−３）、レンズ７を経由して光電変換素子であるＣＣＤ８に入射する。ＣＣＤ８は読取基板９に固定される。
ランプ５とミラー６−１は図視しない第１走行体を形成し、ミラー６−２と６−３は第２走行体を形成し、両走行体は、モータ１０の駆動により読み取り面・ＣＣＤ間距離を一定に保ちながら副走査方向に移動する。またモータ１０はファン４を回転駆動する。ＣＣＤ８は入射光量に対応した電圧をアナログ画像信号として出力し、所定の処理を行った後にデジタル画像信号として画像処理部１１に転送される。
図２は本発明の実施形態に係る画像形成装置の要部制御ブロック図である。ＣＰＵ２１はモータ１０を制御する。ファンのロック信号を検出する信号検出手段２２があり、信号検出手段２２の信号はＣＰＵ２１に入力される。ＣＰＵ２１はこれを受けてモータ１０を駆動制御し、ファン４をオン、オフ制御する。
図３は本発明の実施形態に係る画像形成装置におけるロック信号検出タイミングを示す図である。図３を参照しながら本発明の動作について以下、項目ごとに説明する。なお、以下の説明の前提は、ランプ点灯終了時刻＜ロック信号検出動作終了時刻である。この設定はＣＰＵ２１によってなされる。
（１）読み取り動作開始。ランプ５が点灯すると同時（もしくはランプ点灯より所定の時刻前）にファン４が動作し始める。
（２）ファン４が動き始めると、ロック信号が“Ｌ”に落ちて、動作中であることを信号出力する。
（３）ロック検出機能がロック検出動作を開始する。
（４）読み取り動作が終了して、ランプ５が消灯する。
（５）ロック検出動作が終了する。
（６）読み取り動作開始時刻から、ロック検出動作が完全に終了する時刻後に、ファン４が停止する。
【図面の簡単な説明】
【０００７】
【図１】本発明の実施形態に係る画像形成装置の全体構成図。
【図２】本発明の実施形態に係る画像形成装置の要部制御ブロック図。
【図３】本発明の実施形態に係る画像形成装置におけるロック信号検出タイミングを示す図。
【図４】従来のファンロック信号出力タイミングを示す図。
【図５】従来のロック信号検出タイミングを示す図。
【符号の説明】
【０００８】
４  ファン、１０  モータ、２１  ＣＰＵ、２２  信号検出手段
【図１】
2006191501.tif 000003
【図２】
2006191501.tif 000004
【図３】
2006191501.tif 000005
【図４】
2006191501.tif 000006
【図５】
2006191501.tif 000007